(57)【要約】【課題】  利便性の向上と、人件費の低減と、料金の安全な受け取りとを実現することができるジョブ実行システム、画像形成装置およびジョブ実行プログラムを提供する。【解決手段】  コピーシステムにおいて、ＭＦＰ３０は、スキャナーによって原稿から読み取られた画像を記憶部に記憶し、コンピューター４０は、スキャナーによる原稿の読み取り結果に基づいて料金を計算し、ＭＦＰ３０は、コンピューター４０によって計算された料金に対してオンライン決済サービス５０によって発行された支払いコードを通知し、利用者端末２０は、ＭＦＰ３０によって通知された支払いコードを使用してオンライン決済サービス５０経由で料金を支払い（Ｓ１６５〜Ｓ１６７）、ＭＦＰ３０は、オンライン決済サービス５０経由で料金が支払われた場合に記憶部に記憶されていた画像をプリンターによって記録媒体に印刷する（Ｓ１７０）。【選択図】  図１２
2018046492.tif 000002
【特許請求の範囲】
【請求項１】
画像形成装置と、
前記画像形成装置を利用したジョブの内容に基づいて料金を計算する料金計算手段と、
前記料金計算手段によって計算された前記料金に対してオンライン決済サービスによって発行された支払いコードを通知する支払いコード通知手段と、
前記支払いコード通知手段によって通知された前記支払いコードを使用して前記オンライン決済サービス経由で前記料金が支払われた場合に前記ジョブを実行するジョブ実行手段と
を備えることを特徴とするジョブ実行システム。
【請求項２】
前記画像形成装置は、読取デバイスを備え、
前記内容は、前記読取デバイスによる原稿の読み取り結果を含み、
前記ジョブは、前記読取デバイスによって前記原稿から読み取られた画像を使用して特定の処理を実行するものであり、
前記ジョブ実行手段は、
前記読取デバイスによって前記原稿から読み取られた前記画像を記憶部に記憶する画像記憶手段と、
前記支払いコード通知手段によって通知された前記支払いコードを使用して前記オンライン決済サービス経由で前記料金が支払われた場合に、前記記憶部に記憶されていた前記画像を使用して前記特定の処理を実行する特定処理実行手段と
を備えることを特徴とする請求項１に記載のジョブ実行システム。
【請求項３】
前記画像形成装置は、印刷デバイスを備え、
前記特定処理実行手段は、前記画像形成装置に備えられ、
前記特定の処理は、前記印刷デバイスによる前記画像の印刷であることを特徴とする請求項２に記載のジョブ実行システム。
【請求項４】
前記画像記憶手段は、前記読取デバイスによって前記原稿から読み取られた前記画像をラスタライズして前記記憶部に記憶することを特徴とする請求項３に記載のジョブ実行システム。
【請求項５】
前記画像形成装置は、表示デバイスを備え、
前記支払いコード通知手段は、前記支払いコードを前記表示デバイスへの表示によって通知することを特徴とする請求項１から請求項４までの何れかに記載のジョブ実行システム。
【請求項６】
前記支払いコード通知手段によって通知された前記支払いコードを使用して前記オンライン決済サービス経由で前記料金を支払うための利用者端末を備え、
前記利用者端末は、撮影デバイスを備え、前記表示デバイスに表示された前記支払いコードを前記撮影デバイスによって撮影することによって取得することを特徴とする請求項５に記載のジョブ実行システム。
【請求項７】
前記支払いコード通知手段は、前記支払いコードを二次元コードとして前記表示デバイスに表示することを特徴とする請求項６に記載のジョブ実行システム。
【請求項８】
画像形成装置であって、
前記画像形成装置を利用したジョブの内容に基づいた料金に対してオンライン決済サービスによって発行された支払いコードを通知する支払いコード通知手段と、
前記支払いコード通知手段によって通知された前記支払いコードを使用して前記オンライン決済サービス経由で前記料金が支払われた場合に前記ジョブを実行するジョブ実行手段と
を備えることを特徴とする画像形成装置。
【請求項９】
画像形成装置を利用したジョブの内容に基づいた料金に対してオンライン決済サービスによって発行された支払いコードを通知する支払いコード通知手段と、
前記支払いコード通知手段によって通知された前記支払いコードを使用して前記オンライン決済サービス経由で前記料金が支払われた場合に前記ジョブを実行するジョブ実行手段と
を前記画像形成装置に実現させることを特徴とするジョブ実行プログラム。
【発明の詳細な説明】
【技術分野】
【０００１】
本発明は、画像形成装置を利用したジョブを実行するジョブ実行システム、画像形成装置およびジョブ実行プログラムに関する。
【背景技術】
【０００２】
従来、現金による料金の支払いを可能にするコインベンダーと、複写機とを備えていて、複写機によるコピーのジョブの実行の際にリアルタイムでコインベンダーによって料金の支払いを実行するシステムが知られている（例えば、特許文献１参照。）。
【先行技術文献】
【特許文献】
【０００３】
【特許文献１】特開２００１−３５１１６７号公報
【発明の概要】
【発明が解決しようとする課題】
【０００４】
しかしながら、特許文献１に記載されたシステムにおいては、利用者によってコインベンダーに投入された現金が減って料金の支払いが滞った時点でコピーのジョブの実行が停止され、その後、コインベンダーに現金が追加で投入されて料金の支払いが可能になった時点でコピーのジョブの実行が再開されるので、利便性が悪いという問題がある。
【０００５】
また、特許文献１に記載されたシステムにおいては、コインベンダーに現金で格納されている料金が複写機の管理者側の人間によって定期的に取得される必要があるので、人件費がかかるという問題がある。
【０００６】
また、特許文献１に記載されたシステムにおいては、料金が現金でコインベンダーに格納されているので、コインベンダーが格納している現金が盗難されて、複写機の管理者が料金を受け取れない可能性があるという問題がある。
【０００７】
そこで、本発明は、利便性の向上と、人件費の低減と、料金の安全な受け取りとを実現することができるジョブ実行システム、画像形成装置およびジョブ実行プログラムを提供することを目的とする。
【課題を解決するための手段】
【０００８】
本発明のジョブ実行システムは、画像形成装置と、前記画像形成装置を利用したジョブの内容に基づいて料金を計算する料金計算手段と、前記料金計算手段によって計算された前記料金に対してオンライン決済サービスによって発行された支払いコードを通知する支払いコード通知手段と、前記支払いコード通知手段によって通知された前記支払いコードを使用して前記オンライン決済サービス経由で前記料金が支払われた場合に前記ジョブを実行するジョブ実行手段とを備えることを特徴とする。
【０００９】
この構成により、本発明のジョブ実行システムは、ジョブの内容に基づいた正確な料金が支払われた後で、ジョブを実行するので、ジョブの実行が料金の支払いの滞りによって途中で停止されることがなく、利便性の向上を実現することができる。また、本発明のジョブ実行システムは、料金の支払いにコインベンダーではなくオンライン決済サービスを利用するので、コインベンダーからの料金の取得作業が不要であり、人件費の低減と、料金の安全な受け取りとを実現することができる。
【００１０】
本発明のジョブ実行システムにおいて、前記画像形成装置は、読取デバイスを備え、前記内容は、前記読取デバイスによる原稿の読み取り結果を含み、前記ジョブは、前記読取デバイスによって前記原稿から読み取られた画像を使用して特定の処理を実行するものであり、前記ジョブ実行手段は、前記読取デバイスによって前記原稿から読み取られた前記画像を記憶部に記憶する画像記憶手段と、前記支払いコード通知手段によって通知された前記支払いコードを使用して前記オンライン決済サービス経由で前記料金が支払われた場合に、前記記憶部に記憶されていた前記画像を使用して前記特定の処理を実行する特定処理実行手段とを備えても良い。
【００１１】
この構成により、本発明のジョブ実行システムは、読取デバイスによる原稿の読み取りによって生成された画像を記憶部に記憶しておき、この読み取りの結果に基づいた正確な料金が支払われた後で、この画像を使用して特定の処理を実行するので、「読取デバイスによって原稿から画像を読み取って、この画像を使用して特定の処理を実行する」というジョブの実行が料金の支払いの滞りによって途中で停止されることがなく、利便性の向上を実現することができる。
【００１２】
本発明のジョブ実行システムにおいて、前記画像形成装置は、印刷デバイスを備え、前記特定処理実行手段は、前記画像形成装置に備えられ、前記特定の処理は、前記印刷デバイスによる前記画像の印刷であっても良い。
【００１３】
この構成により、本発明のジョブ実行システムは、「読取デバイスによって原稿から画像を読み取って、この画像を印刷デバイスによって印刷する」というコピーのジョブの実行が料金の支払いの滞りによって途中で停止されることがなく、利便性の向上を実現することができる。
【００１４】
本発明のジョブ実行システムにおいて、前記画像記憶手段は、前記読取デバイスによって前記原稿から読み取られた前記画像をラスタライズして前記記憶部に記憶しても良い。
【００１５】
この構成により、本発明のジョブ実行システムは、料金が支払われた後で、画像をラスタライズすることなく印刷デバイスによって記録媒体に印刷することができるので、コピーのジョブを早期に終了することができる。
【００１６】
本発明のジョブ実行システムにおいて、前記画像形成装置は、表示デバイスを備え、前記支払いコード通知手段は、前記支払いコードを前記表示デバイスへの表示によって通知しても良い。
【００１７】
この構成により、本発明のジョブ実行システムは、画像形成装置が支払いコードを表示デバイスへの表示によって通知するので、画像形成装置によって通知された支払いコードを使用してオンライン決済サービス経由で料金を支払うための利用者端末と、画像形成装置とが互いに通信できない場合であっても、画像形成装置の表示デバイスに表示された支払いコードを使用して利用者端末によってオンライン決済サービス経由で料金を支払うことができる。
【００１８】
本発明のジョブ実行システムは、前記支払いコード通知手段によって通知された前記支払いコードを使用して前記オンライン決済サービス経由で前記料金を支払うための利用者端末を備え、前記利用者端末は、撮影デバイスを備え、前記表示デバイスに表示された前記支払いコードを前記撮影デバイスによって撮影することによって取得しても良い。
【００１９】
この構成により、本発明のジョブ実行システムは、画像形成装置の表示デバイスに表示された支払いコードを利用者端末の利用者が利用者端末に手入力する必要がないので、利便性を向上することができる。
【００２０】
本発明のジョブ実行システムにおいて、前記支払いコード通知手段は、前記支払いコードを二次元コードとして前記表示デバイスに表示しても良い。
【００２１】
この構成により、本発明のジョブ実行システムは、支払いコードが二次元コードとしてコンパクトに画像形成装置の表示デバイスに表示されるので、利用者端末の撮影デバイスによって撮影し易く、利便性を向上することができる。
【００２２】
本発明の画像形成装置は、画像形成装置であって、前記画像形成装置を利用したジョブの内容に基づいた料金に対してオンライン決済サービスによって発行された支払いコードを通知する支払いコード通知手段と、前記支払いコード通知手段によって通知された前記支払いコードを使用して前記オンライン決済サービス経由で前記料金が支払われた場合に前記ジョブを実行するジョブ実行手段とを備えることを特徴とする。
【００２３】
この構成により、本発明の画像形成装置は、ジョブの内容に基づいた正確な料金が支払われた後で、ジョブを実行するので、ジョブの実行が料金の支払いの滞りによって途中で停止されることがなく、利便性の向上を実現することができる。また、本発明の画像形成装置は、料金の支払いにコインベンダーではなくオンライン決済サービスを利用するので、コインベンダーからの料金の取得作業が不要であり、人件費の低減と、料金の安全な受け取りとを実現することができる。
【００２４】
本発明のジョブ実行プログラムは、画像形成装置を利用したジョブの内容に基づいた料金に対してオンライン決済サービスによって発行された支払いコードを通知する支払いコード通知手段と、前記支払いコード通知手段によって通知された前記支払いコードを使用して前記オンライン決済サービス経由で前記料金が支払われた場合に前記ジョブを実行するジョブ実行手段とを前記画像形成装置に実現させることを特徴とする。
【００２５】
この構成により、本発明のジョブ実行プログラムを実行する画像形成装置は、ジョブの内容に基づいた正確な料金が支払われた後で、ジョブを実行するので、ジョブの実行が料金の支払いの滞りによって途中で停止されることがなく、利便性の向上を実現することができる。また、本発明のジョブ実行プログラムを実行する画像形成装置は、料金の支払いにコインベンダーではなくオンライン決済サービスを利用するので、コインベンダーからの料金の取得作業が不要であり、人件費の低減と、料金の安全な受け取りとを実現することができる。
【発明の効果】
【００２６】
本発明のジョブ実行システム、画像形成装置およびジョブ実行プログラムは、利便性の向上と、人件費の低減と、料金の安全な受け取りとを実現することができる。
【図面の簡単な説明】
【００２７】
【図１】本発明の一実施の形態に係るコピーシステムのブロック図である。
【図２】図１に示す利用者端末のブロック図である。
【図３】図１に示すＭＦＰのブロック図である。
【図４】図３に示す画像管理情報の一例を示す図である。
【図５】図１に示すコンピューターのブロック図である。
【図６】図５に示すＭＦＰ管理情報の一例を示す図である。
【図７】図５に示す支払いコード管理情報の一例を示す図である。
【図８】図１に示すオンライン決済サービスが記憶する情報の一例を示す図である。
【図９】図８に示す支払いコード管理情報の一例を示す図である。
【図１０】コピーの指示が入力されたＭＦＰが二次元コードを表示するまでの図１に示すコピーシステムの動作のシーケンス図である。
【図１１】ＳｃａｎＴｏＢｏｘを実行する場合の図３に示すＭＦＰの動作のフローチャートである。
【図１２】利用者端末が二次元コードを読み取ってからＭＦＰがコピーを終了するまでの図１に示すコピーシステムの動作のシーケンス図である。
【図１３】図２に示す利用者端末の表示部に表示される支払い画面の一例を示す図である。
【発明を実施するための形態】
【００２８】
以下、本発明の一実施の形態について、図面を用いて説明する。
【００２９】
まず、本実施の形態に係るジョブ実行システムとしてのコピーシステムの構成について説明する。
【００３０】
図１は、本実施の形態に係るコピーシステム１０のブロック図である。
【００３１】
図１に示すように、コピーシステム１０は、利用者によって利用される利用者端末２０と、画像形成装置としてのＭＦＰ（Ｍｕｌｔｉｆｕｎｃｔｉｏｎ  Ｐｅｒｉｐｈｅｒａｌ）３０と、コンピューター４０と、オンライン上で決済を実行するオンライン決済サービス５０と、銀行口座を管理している銀行口座管理システム６０とを備えている。
【００３２】
ＭＦＰ３０は、例えば、コンビニエンスストアなどの商業施設、大学などの公共施設など、様々な施設に設置されることが可能である。ＭＦＰ３０は、原稿から読み取った画像を記録媒体に印刷する機能であるコピーを、利用者による料金の支払いに応じて実行するデバイスである。ＭＦＰ３０は、両面に情報が表示されているＩＤカード、運転免許証などの原稿の両面の画像をそのままのサイズで１枚の記録媒体の片面に集約するＩＤコピーなど、様々な種類のコピーを実行可能である。
【００３３】
コンピューター４０は、ＭＦＰ３０の料金に関する処理だけでなく、ＭＦＰ３０と同様の少なくとも１台のＭＦＰの料金に関する処理を実行可能でも良い。
【００３４】
オンライン決済サービス５０および銀行口座管理システム６０は、それぞれクラウドサービスであり、それぞれ例えばクラウドサーバーなどのサーバーによって実現されているシステムである。
【００３５】
利用者端末２０と、オンライン決済サービス５０とは、インターネットなどのネットワーク経由で通信可能である。
【００３６】
ＭＦＰ３０と、コンピューター４０とは、ＬＡＮ（Ｌｏｃａｌ  Ａｒｅａ  Ｎｅｔｗｏｒｋ）、インターネットなどのネットワーク経由で、または、ネットワークを介さずに有線または無線によって直接に、通信可能である。
【００３７】
コンピューター４０と、オンライン決済サービス５０とは、インターネットなどのネットワーク経由で通信可能である。
【００３８】
オンライン決済サービス５０と、銀行口座管理システム６０とは、インターネットなどのネットワーク経由で通信可能である。
【００３９】
図２は、利用者端末２０のブロック図である。
【００４０】
図２に示すように、利用者端末２０は、種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、カメラなどの撮影デバイスである撮影部２３と、ネットワーク経由で、または、ネットワークを介さずに有線または無線によって直接に、外部の装置と通信を行う通信デバイスである通信部２４と、各種の情報を記憶する半導体メモリーなどの不揮発性の記憶デバイスである記憶部２５と、利用者端末２０全体を制御する制御部２６とを備えている。利用者端末２０は、例えば、スマートフォン、タブレットなどの携帯端末であっても良い。
【００４１】
記憶部２５は、オンライン決済サービス５０（図１参照。）による決済のための決済用プログラム２５ａを記憶している。決済用プログラム２５ａは、利用者端末２０の製造段階で利用者端末２０にインストールされていても良いし、ＵＳＢ（Ｕｎｉｖｅｒｓａｌ  Ｓｅｒｉａｌ  Ｂｕｓ）メモリーなどの外部の記憶媒体から利用者端末２０に追加でインストールされても良いし、ネットワーク上から利用者端末２０に追加でインストールされても良い。
【００４２】
制御部２６は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２５に記憶されているプログラムを実行する。
【００４３】
制御部２６は、決済用プログラム２５ａを実行することによって、オンライン決済サービス５０に決済を指示する決済指示手段２６ａを実現する。
【００４４】
図３は、ＭＦＰ３０のブロック図である。
【００４５】
図３に示すように、ＭＦＰ３０は、種々の操作が入力されるボタンなどの入力デバイスである操作部３１と、種々の情報を表示するＬＣＤなどの表示デバイスである表示部３２と、原稿から画像を読み取る読取デバイスであるスキャナー３３と、用紙などの記録媒体に画像を印刷する印刷デバイスであるプリンター３４と、図示していない外部のファクシミリ装置と公衆電話回線などの通信回線経由でファックス通信を行うファックスデバイスであるファックス通信部３５と、ネットワーク経由で、または、ネットワークを介さずに有線または無線によって直接に、外部の装置と通信を行う通信デバイスである通信部３６と、各種の情報を記憶する半導体メモリー、ＨＤＤ（Ｈａｒｄ  Ｄｉｓｋ  Ｄｒｉｖｅ）などの不揮発性の記憶デバイスである記憶部３７と、ＭＦＰ３０全体を制御する制御部３８とを備えている。
【００４６】
スキャナー３３は、複数枚の原稿や両面の原稿を自動的に読み取り可能であるＡＤＦ（Ａｕｔｏ  Ｄｏｃｕｍｅｎｔ  Ｆｅｅｄｅｒ）を備えている。
【００４７】
記憶部３７は、「スキャナー３３によって原稿から画像を読み取って、この画像を使用して特定の処理を実行する」というジョブを実行するためのジョブ実行プログラムとして、「スキャナー３３によって原稿から画像を読み取って、この画像をプリンター３４によって印刷する」というコピーのジョブを実行するためのコピープログラム３７ａを記憶している。コピープログラム３７ａは、ＭＦＰ３０の製造段階でＭＦＰ３０にインストールされていても良いし、ＵＳＢメモリーなどの外部の記憶媒体からＭＦＰ３０に追加でインストールされても良いし、ネットワーク上からＭＦＰ３０に追加でインストールされても良い。
【００４８】
記憶部３７は、スキャナー３３によって原稿から読み取られた画像３７ｂを複数記憶可能である。
【００４９】
記憶部３７は、画像３７ｂを管理するための画像管理情報３７ｃを記憶可能である。
【００５０】
図４は、画像管理情報３７ｃの一例を示す図である。
【００５１】
図４に示すように、画像管理情報３７ｃは、画像３７ｂ（図３参照。）の識別情報である画像ＩＤと、ジョブの識別情報であるジョブＩＤとが対応付けられた情報である。
【００５２】
図３に示す制御部３８は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部３７に記憶されているプログラムを実行する。
【００５３】
制御部３８は、コピープログラム３７ａを実行することによって、スキャナー３３によって原稿から読み取られた画像を記憶部３７に画像３７ｂとして記憶する画像記憶手段３８ａと、コンピューター４０（図１参照。）によって計算された料金に対してオンライン決済サービス５０（図１参照。）によって発行された支払いコードを通知する支払いコード通知手段３８ｂと、支払いコード通知手段３８ｂによって通知された支払いコードを使用してオンライン決済サービス５０経由で料金が支払われた場合に、記憶部３７に記憶されていた画像３７ｂをプリンター３４によって記録媒体に印刷する特定処理実行手段としての画像印刷手段３８ｃとを実現する。
【００５４】
なお、画像記憶手段３８ａおよび画像印刷手段３８ｃは、「スキャナー３３によって原稿から読み取られた画像をプリンター３４によって記録媒体に印刷する」というコピーのジョブを共働して実行するようになっており、本発明のジョブ実行手段を構成している。
【００５５】
図５は、コンピューター４０のブロック図である。
【００５６】
図５に示すように、コンピューター４０は、ネットワーク経由で、または、ネットワークを介さずに有線または無線によって直接に、外部の装置と通信を行う通信デバイスである通信部４１と、各種の情報を記憶する半導体メモリーなどの不揮発性の記憶デバイスである記憶部４２と、コンピューター４０全体を制御する制御部４３とを備えている。
【００５７】
記憶部４２は、オンライン決済サービス５０（図１参照。）による決済のための決済用プログラム４２ａを記憶している。決済用プログラム４２ａは、コンピューター４０の製造段階でコンピューター４０にインストールされていても良いし、ＵＳＢメモリー、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）などの外部の記憶媒体からコンピューター４０に追加でインストールされても良いし、ネットワーク上からコンピューター４０に追加でインストールされても良い。
【００５８】
記憶部４２は、ＭＦＰを管理するためのＭＦＰ管理情報４２ｂを記憶している。
【００５９】
図６は、ＭＦＰ管理情報４２ｂの一例を示す図である。
【００６０】
図６に示すように、ＭＦＰ管理情報４２ｂは、ＭＦＰの識別情報であるＭＦＰＩＤと、ＭＦＰの管理者の識別情報である管理者ＩＤとが対応付けられた情報である。
【００６１】
図５に示すように、記憶部４２は、オンライン決済サービス５０（図１参照。）によって発行される支払いコードを管理するための支払いコード管理情報４２ｃを記憶可能である。
【００６２】
図７は、支払いコード管理情報４２ｃの一例を示す図である。
【００６３】
図７に示すように、支払いコード管理情報４２ｃは、支払いコードと、ＭＦＰＩＤと、ジョブＩＤとが対応付けられた情報である。
【００６４】
図５に示す制御部４３は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部４２に記憶されているプログラムを実行する。
【００６５】
制御部４３は、決済用プログラム４２ａを実行することによって、スキャナー３３（図３参照。）による原稿の読み取り結果に基づいて料金を計算する料金計算手段４３ａと、オンライン決済サービス５０（図１参照。）による決済のための通信を実行する決済用通信手段４３ｂとを実現する。
【００６６】
図８は、オンライン決済サービス５０が記憶する情報の一例を示す図である。
【００６７】
図８に示すように、オンライン決済サービス５０は、利用者の銀行口座の情報を利用者の識別情報である利用者ＩＤ毎に示す利用者銀行口座情報５０ａと、ＭＦＰ３０の管理者の口座の情報を管理者ＩＤ毎に示す管理者口座情報５０ｂとを記憶している。
【００６８】
利用者銀行口座情報５０ａには、利用者の銀行口座を管理している銀行の名称や、その銀行口座の口座番号など、利用者の銀行口座に関する情報が含まれている。利用者は、例えば、利用者端末２０（図２参照。）の操作部２１（図２参照。）を介して決済用プログラム２５ａ（図２参照。）経由で、オンライン決済サービス５０の利用者銀行口座情報５０ａに利用者の銀行口座の情報を登録することが可能である。
【００６９】
管理者は、例えば、任意のＰＣ（Ｐｅｒｓｏｎａｌ  Ｃｏｍｐｕｔｅｒ）を介してインターネット経由で、オンライン決済サービス５０の管理者口座情報５０ｂに管理者の口座の情報を登録することが可能である。なお、管理者の口座は、オンライン決済サービス５０によって管理されている口座であって、銀行口座ではない。
【００７０】
オンライン決済サービス５０は、支払いコードを管理するための支払いコード管理情報５０ｃを記憶可能である。
【００７１】
図９は、支払いコード管理情報５０ｃの一例を示す図である。
【００７２】
図９に示すように、支払いコード管理情報５０ｃは、支払いコードと、管理者ＩＤと、料金と、コンピューターの識別情報であるコンピューターＩＤとが対応付けられた情報である。
【００７３】
次に、コピーシステム１０の動作について説明する。
【００７４】
まず、コピーの指示が入力されたＭＦＰ３０が二次元コードを表示するまでのコピーシステム１０の動作について説明する。
【００７５】
図１０は、コピーの指示が入力されたＭＦＰ３０が二次元コードを表示するまでのコピーシステム１０の動作のシーケンス図である。
【００７６】
利用者は、コピーの指示を操作部３１を介して入力することができる。ＭＦＰ３０の画像記憶手段３８ａは、コピーの指示が操作部３１を介して入力されると、図１０に示すように、「スキャナー３３によって原稿から読み取った画像を記憶部３７における特定の領域に記憶する動作」（以下「ＳｃａｎＴｏＢｏｘ」と言う。）を実行する（Ｓ１０１）。ここで、画像記憶手段３８ａは、Ｓ１０１において記憶した画像の画像ＩＤと、今回のジョブのジョブＩＤとを対応付けて画像管理情報３７ｃに記憶する。
【００７７】
図１１は、ＳｃａｎＴｏＢｏｘを実行する場合のＭＦＰ３０の動作のフローチャートである。
【００７８】
図１１に示すように、画像記憶手段３８ａは、スキャナー３３によって原稿から画像を読み取る（Ｓ１３１）。
【００７９】
次いで、画像記憶手段３８ａは、Ｓ１０１において読み取った画像を、プリンター３４による印刷のためにラスタライズして、ビットマップデータを生成する（Ｓ１３２）。
【００８０】
最後に、画像記憶手段３８ａは、Ｓ１０２において生成したビットマップデータを記憶部３７における特定の領域に画像３７ｂとして記憶する（Ｓ１３３）。
【００８１】
図１０に示すように、ＭＦＰ３０の支払いコード通知手段３８ｂは、Ｓ１０１の処理の後、今回のコピーのジョブの属性を取得する（Ｓ１０２）。
【００８２】
ここで、コピーのジョブの属性は、例えば、印刷するページ数を示すページ数情報と、両面印刷および片面印刷の何れを実行するかを示す両面片面情報と、モノクロコピーおよびカラーコピーの何れを実行するかを示す色情報と、印刷する部数を示す部数情報と、印刷する記録媒体のサイズを示す記録媒体サイズ情報とを含んでいる。
【００８３】
ページ数は、印刷する面数である。例えば、両面印刷が１枚実行される場合、２ページ印刷されることになる。
【００８４】
ページ数が同一の場合、両面印刷および片面印刷の何れが実行されるときでも料金が同一に設定されても良い。例えば、１枚の記録媒体に両面印刷が実行される場合と、２枚の記録媒体に片面印刷が実行される場合とで、料金が同一に設定されても良い。
【００８５】
一方、ページ数が同一の場合でも、両面印刷および片面印刷の何れが実行されるかによって料金に差がつけられても良い。例えば、１枚の記録媒体に両面印刷が実行される場合の料金が、２枚の記録媒体に片面印刷が実行される場合の料金より低く設定されても良い。
【００８６】
料金の決定に際して、両面片面情報は、「ページ数が同一の場合でも、両面印刷および片面印刷の何れが実行されるかによって料金に差がつけられるとき」に利用される。
【００８７】
支払いコード通知手段３８ｂは、スキャナー３３による原稿の実際の読み取り結果に基づいてページ数情報を決定する。
【００８８】
支払いコード通知手段３８ｂは、操作部３１を介して入力されたコピーの指示における設定に応じて両面片面情報を決定する。ただし、支払いコード通知手段３８ｂは、スキャナー３３による原稿の実際の読み取り結果に基づいて両面片面情報を変更するように設定されていても良い。例えば、支払いコード通知手段３８ｂは、操作部３１を介して入力されたコピーの指示において、原稿の表面、裏面をそれぞれ記録媒体の表面、裏面に印刷すること、すなわち、両面印刷することが設定されていたとしても、実際に原稿をスキャナー３３によって読み取った結果、原稿の一方の面に何も印刷されていない場合に、片面印刷に変更するように設定されていても良い。
【００８９】
支払いコード通知手段３８ｂは、操作部３１を介して入力されたコピーの指示における設定に応じて色情報を決定する。ただし、支払いコード通知手段３８ｂは、スキャナー３３による原稿の実際の読み取り結果に基づいて色情報を決定したり、変更したりするようになっていても良い。例えば、支払いコード通知手段３８ｂは、操作部３１を介して入力されたコピーの指示において、モノクロコピーおよびカラーコピーの何れを実行するかを自動で判定することが設定されていた場合、実際に原稿をスキャナー３３によって読み取った結果、読み取った原稿の色に応じて色情報を決定する。また、支払いコード通知手段３８ｂは、操作部３１を介して入力されたコピーの指示においてカラーコピーすることが設定されていたとしても、実際に原稿をスキャナー３３によって読み取った結果、原稿がモノクロである場合に、モノクロコピーとして扱うように設定されていても良い。
【００９０】
支払いコード通知手段３８ｂは、操作部３１を介して入力されたコピーの指示における設定に応じて部数情報を決定する。
【００９１】
支払いコード通知手段３８ｂは、操作部３１を介して入力されたコピーの指示における設定に応じて記録媒体サイズ情報を決定する。ただし、支払いコード通知手段３８ｂは、スキャナー３３による原稿の実際の読み取り結果に基づいて記録媒体サイズ情報を決定しても良い。例えば、支払いコード通知手段３８ｂは、操作部３１を介して入力されたコピーの指示において記録媒体のサイズとして「自動」が設定されていた場合、実際に原稿をスキャナー３３によって読み取った結果、読み取った原稿のサイズに応じて適切な記録媒体サイズ情報を自動で決定しても良い。
【００９２】
支払いコード通知手段３８ｂは、Ｓ１０２の処理の後、Ｓ１０２で取得した属性に基づいた料金の計算の依頼をコンピューター４０に送信する（Ｓ１０３）。ここで、支払いコード通知手段３８ｂは、ＭＦＰ３０のＭＦＰＩＤと、今回のジョブのジョブＩＤとをＳ１０３における依頼とともにコンピューター４０に送信する。
【００９３】
コンピューター４０の料金計算手段４３ａは、Ｓ１０３においてＭＦＰ３０から送信されてきた依頼を受信すると、この依頼とともにＭＦＰ３０から送信されてきた属性、すなわち、Ｓ１０２で取得された属性と、特定の計算基準とに基づいて、今回のコピーのジョブの料金を計算する（Ｓ１０４）。
【００９４】
次いで、コンピューター４０の決済用通信手段４３ｂは、Ｓ１０４で計算された料金での支払いコードをオンライン決済サービス５０に要求する（Ｓ１０５）。ここで、決済用通信手段４３ｂは、Ｓ１０３における依頼とともにＭＦＰ３０から送信されてきたＭＦＰＩＤにＭＦＰ管理情報４２ｂにおいて対応付けられている管理者ＩＤと、コンピューター４０のコンピューターＩＤとをＳ１０５の要求に含める。
【００９５】
したがって、オンライン決済サービス５０は、Ｓ１０５の要求に応じて支払いコードを発行してコンピューター４０に返信する（Ｓ１０６）。なお、オンライン決済サービス５０は、発行した支払いコードを、Ｓ１０５における要求に含まれていた管理者ＩＤ、料金およびコンピューターＩＤを対応付けて支払いコード管理情報５０ｃに記憶する。
【００９６】
コンピューター４０の決済用通信手段４３ｂは、Ｓ１０６においてオンライン決済サービス５０から返信されてきた支払いコードを示すＱＲコード（登録商標）などの二次元コードを生成する（Ｓ１０７）。なお、決済用通信手段４３ｂは、Ｓ１０６においてオンライン決済サービス５０から返信されてきた支払いコードを、Ｓ１０３においてＭＦＰ３０から送信されていたＭＦＰＩＤおよびジョブＩＤに対応付けて支払いコード管理情報４２ｃに記憶する。
【００９７】
次いで、決済用通信手段４３ｂは、Ｓ１０７において生成した二次元コードをＭＦＰ３０に送信する（Ｓ１０８）。
【００９８】
したがって、ＭＦＰ３０の支払いコード通知手段３８ｂは、Ｓ１０８においてコンピューター４０から送信されてきた二次元コードを表示部３２に表示する（Ｓ１０９）。
【００９９】
次に、利用者端末２０が二次元コードを読み取ってからＭＦＰ３０がコピーを終了するまでのコピーシステム１０の動作について説明する。
【０１００】
図１２は、利用者端末２０が二次元コードを読み取ってからＭＦＰ３０がコピーを終了するまでのコピーシステム１０の動作のシーケンス図である。
【０１０１】
利用者は、Ｓ１０９においてＭＦＰ３０の表示部３２に表示された二次元バーコードを利用者端末２０の撮影部２３によって読み取らせるように、利用者端末２０を操作することができる。利用者端末２０の決済指示手段２６ａは、表示部３２に表示された二次元バーコードを撮影部２３によって読み取らせるように利用者端末２０が操作されると、図１２に示すように、表示部３２に表示された二次元バーコードを撮影部２３によって読み取る（Ｓ１６１）。
【０１０２】
次いで、決済指示手段２６ａは、Ｓ１６１において読み取った二次元バーコードを解釈して、この二次元バーコードによって示される支払いコードと、利用者ＩＤとをオンライン決済サービス５０に送信する（Ｓ１６２）。
【０１０３】
したがって、オンライン決済サービス５０は、Ｓ１６２において利用者端末２０から送信されてきた支払いコードおよび利用者ＩＤに基づいて、支払いコードに支払いコード管理情報５０ｃにおいて対応付けられている料金と、利用者ＩＤに利用者銀行口座情報５０ａにおいて関連付けられている銀行口座の情報とを利用者端末２０に返信する（Ｓ１６３）。
【０１０４】
利用者端末２０の決済指示手段２６ａは、料金と、銀行口座の情報とがオンライン決済サービス５０から送信されてくると、料金の支払いのための支払い画面７０（図１３参照。）を表示部２２に表示する（Ｓ１６４）。
【０１０５】
図１３は、支払い画面７０の一例を示す図である。
【０１０６】
図１３に示すように、支払い画面７０は、オンライン決済サービス５０から送信されてきた銀行口座の情報を示すテキスト７１と、オンライン決済サービス５０から送信されてきた料金を示すテキスト７２と、銀行口座のパスワード、すなわち、その銀行口座からの引き落としを銀行口座管理システム６０が許可するためのパスワードが入力されるためのテキストボックス７３とを含んでいる。
【０１０７】
図１３においては、支払い画面７０に表示される銀行口座の情報として銀行の名称を示している。しかしながら、支払い画面７０には、銀行口座の情報として、銀行の名称以外の情報が、銀行の名称に加えて、または、銀行の名称に代えて、表示されても良い。なお、Ｓ１６３においては、銀行口座の情報のうち、支払い画面７０に表示される情報のみが返信されれば良い。
【０１０８】
図１２に示すように、決済指示手段２６ａは、テキストボックス７３に銀行口座のパスワードが入力されると、入力されたパスワードをオンライン決済サービス５０に送信する（Ｓ１６５）。
【０１０９】
したがって、オンライン決済サービス５０は、Ｓ１６５において利用者端末２０から送信されてきたパスワードが正しい場合にのみ、銀行口座管理システム６０が管理している銀行口座のうち、Ｓ１６２において利用者端末２０から送信されてきた利用者ＩＤに利用者銀行口座情報５０ａにおいて関連付けられている銀行口座から、Ｓ１６２において利用者端末２０から送信されてきた支払いコードに支払いコード管理情報５０ｃにおいて対応付けられている料金を引き落とす（Ｓ１６６）。
【０１１０】
次いで、オンライン決済サービス５０は、Ｓ１６６において引き落とした料金を、Ｓ１６２において利用者端末２０から送信されてきた支払いコードに支払いコード管理情報５０ｃにおいて対応付けられている管理者ＩＤに管理者口座情報５０ｂにおいて関連付けられている口座に振り込む（Ｓ１６７）。
【０１１１】
次いで、オンライン決済サービス５０は、料金の支払いが完了した旨を示す支払い完了通知と、Ｓ１６２において利用者端末２０から送信されてきた支払いコードとを、この支払いコードに支払いコード管理情報５０ｃにおいて対応付けられているコンピューターＩＤのコンピューター４０に送信する（Ｓ１６８）。
【０１１２】
コンピューター４０の決済用通信手段４３ｂは、Ｓ１６８においてオンライン決済サービス５０から支払い完了通知が送信されてくると、Ｓ１６８においてオンライン決済サービス５０から支払い完了通知とともに送信されてきた支払いコードに支払いコード管理情報４２ｃにおいて対応付けられているジョブＩＤのジョブの料金の支払いが完了した旨を示す支払い完了通知を、この支払いコードに支払いコード管理情報４２ｃにおいて対応付けられているＭＦＰＩＤのＭＦＰ３０に送信する（Ｓ１６９）。
【０１１３】
ＭＦＰ３０の画像印刷手段３８ｃは、Ｓ１６９においてコンピューター４０から支払い完了通知が送信されてくると、この支払い完了通知に示されているジョブＩＤに画像管理情報３７ｃにおいて対応付けられている画像ＩＤの画像３７ｂに関して、「記憶部３７における特定の領域に記憶されている画像をプリンター３４によって印刷する動作」（以下「ＢｏｘＴｏＰｒｉｎｔ」と言う。）を実行する（Ｓ１７０）。
【０１１４】
以上に説明したように、コピーシステム１０は、スキャナー３３による原稿の読み取りによって生成された画像を記憶部３７に記憶しておき（Ｓ１０１）、この読み取りの結果に基づいた正確な料金が支払われた（Ｓ１６５〜Ｓ１６７）後で、この画像をプリンター３４によって記録媒体に印刷する（Ｓ１７０）ので、「スキャナー３３によって原稿から画像を読み取って、この画像をプリンター３４によって印刷する」というコピーのジョブの実行が料金の支払いの滞りによって途中で停止されることがなく、利便性の向上を実現することができる。
【０１１５】
コピーシステム１０は、料金の支払いにコインベンダーではなくオンライン決済サービス５０を利用するため、料金がＭＦＰ３０の利用者の銀行口座からＭＦＰ３０の管理者の口座に直接振り込まれるので、コインベンダーからの料金の取得作業が不要であり、人件費の低減と、料金の安全な受け取りとを実現することができる。
【０１１６】
コピーシステム１０は、料金の支払いにコインベンダーではなくオンライン決済サービス５０を利用するので、コインベンダーがあまり利用されていない国であっても、容易に導入されることが可能である。
【０１１７】
コピーシステム１０は、スキャナー３３によって原稿から読み取られた画像をラスタライズして記憶部３７に記憶するので、料金が支払われた後で、画像をラスタライズすることなくプリンター３４によって記録媒体に印刷することができる。したがって、コピーシステム１０は、コピーのジョブを早期に終了することができる。
【０１１８】
なお、コピーシステム１０は、スキャナー３３によって原稿から読み取られた画像をラスタライズすることなく記憶部３７に記憶しておき、記憶部３７に記憶していた画像を、スキャナー３３による原稿の読み取り結果に基づいた正確な料金が支払われた後で、ラスタライズしてプリンター３４によって記録媒体に印刷する構成でも良い。
【０１１９】
コピーシステム１０は、ＭＦＰ３０が支払いコードを表示部３２への表示によって通知する（Ｓ１０９）ので、利用者端末２０と、ＭＦＰ３０とが互いに通信できない場合であっても、ＭＦＰ３０の表示部３２に表示された支払いコードを使用して利用者端末２０によってオンライン決済サービス５０経由で料金を支払うことができる。
【０１２０】
コピーシステム１０は、支払いコードが二次元コードとしてコンパクトにＭＦＰ３０の表示部３２に表示されるので、利用者端末２０の撮影部２３によって撮影し易く、利便性を向上することができる。なお、コピーシステム１０は、文字列や一次元コードなど、二次元バーコードより利用者端末２０の撮影部２３によって撮影し難い方法で支払いコードが表示部３２に表示されても良い。
【０１２１】
コピーシステム１０は、表示部３２に表示された支払いコードを撮影部２３によって撮影することによって取得するので、ＭＦＰ３０の表示部３２に表示された支払いコードを利用者端末２０の利用者が利用者端末２０に手入力する必要がない。したがって、コピーシステム１０は、利便性を向上することができる。なお、コピーシステム１０は、二次元バーコードではなく、文字列など、利用者端末２０の利用者が理解可能な方法で支払いコードを表示部３２に表示する場合、ＭＦＰ３０の表示部３２に表示された支払いコードが利用者端末２０の利用者によって利用者端末２０に手入力される構成でも良い。
【０１２２】
コピーシステム１０は、本実施の形態において、ＭＦＰ３０の管理者の口座として、オンライン決済サービス５０によって管理されている口座を利用している。しかしながら、コピーシステム１０は、ＭＦＰ３０の管理者の口座として、オンライン決済サービス５０によって管理されている口座ではなく、銀行口座を利用する構成でも良い。
【０１２３】
コピーシステム１０は、本実施の形態において、ＭＦＰ３０の利用者の口座として、銀行口座を利用している。しかしながら、コピーシステム１０は、ＭＦＰ３０の利用者の口座として、銀行口座ではなく、オンライン決済サービス５０によって管理されている口座を利用する構成でも良い。
【０１２４】
コピーシステム１０は、コンピューター４０の上述した機能の少なくとも一部をＭＦＰ３０がコピープログラム３７ａの実行によって実現する構成でも良い。例えば、コピーシステム１０は、コンピューター４０の料金計算手段４３ａに相当する機能をＭＦＰ３０が実現する構成でも良い。コピーシステム１０は、コンピューター４０の上述した全ての機能をＭＦＰ３０が実現する構成である場合、コンピューター４０を備えなくても良い。
【０１２５】
ＭＦＰ３０において、ＨＤＤなどの記憶部３７は、通常、制御部３８のＲＡＭより、記憶容量が圧倒的に多い。したがって、コピーシステム１０は、スキャナー３３によって原稿から読み取られた画像を記憶部３７に記憶する（Ｓ１０１）ことによって、原稿の枚数が大量であるコピーにも対応することができる。しかしながら、コピーシステム１０は、スキャナー３３によって原稿から読み取られた画像を制御部３８のＲＡＭに記憶しておき、制御部３８のＲＡＭに記憶していた画像を、スキャナー３３による原稿の読み取り結果に基づいた正確な料金が支払われた後で、プリンター３４によって記録媒体に印刷しても良い。
【０１２６】
本発明の画像形成装置は、本実施の形態においてＭＦＰであるが、コピー専用機など、ＭＦＰ以外の画像形成装置でも良い。
【０１２７】
本発明のジョブ実行システムは、本実施の形態において、「スキャナー３３によって原稿から画像を読み取って、この画像をプリンター３４によって印刷する」というコピーのジョブを実行するコピーシステムである。しかしながら、本発明のジョブ実行システムは、「スキャナー３３によって原稿から読み取られた画像を送信する」というスキャン送信のジョブなど、「スキャナー３３によって原稿から読み取られた画像を使用して特定の処理を実行する」ジョブのうち、コピーのジョブ以外のジョブを実行するシステムにも適用可能である。また、本発明のジョブ実行システムは、「ＵＳＢメモリーなどの外部の記憶媒体やクラウドサービスに記憶されたドキュメントをプリンター３４によって印刷する」というジョブなど、「スキャナー３３によって原稿から読み取られた画像を使用して特定の処理を実行する」ジョブ以外のジョブを実行するシステムにも適用可能である。更に、本発明のジョブ実行システムは、「ドキュメントをプリンター３４によって印刷する」というドキュメント印刷のジョブを実行する場合に、プリンター３４によって使用される印刷データをドキュメントからコンピューター４０が生成したり、「スキャナー３３によって原稿から読み取られた画像を送信する」というスキャン送信のジョブを実行する場合に、スキャナー３３によって原稿から読み取られた画像をコンピューター４０が送信したりするなど、ジョブがＭＦＰ３０のみによって実行されなくても良い。すなわち、本発明のジョブ実行システムは、ＭＦＰ３０を利用した種々のジョブを実行するシステムに適用可能である。
【符号の説明】
【０１２８】
１０  コピーシステム（ジョブ実行システム）
２０  利用者端末
２３  撮影部（撮影デバイス）
３０  ＭＦＰ（画像形成装置）
３２  表示部（表示デバイス）
３３  スキャナー（読取デバイス）
３４  プリンター（印刷デバイス）
３７  記憶部
３７ａ  コピープログラム（ジョブ実行プログラム）
３７ｂ  画像
３８ａ  画像記憶手段（ジョブ実行手段）
３８ｂ  支払いコード通知手段
３８ｃ  画像印刷手段（特定処理実行手段、ジョブ実行手段）
４３ａ  料金計算手段
５０  オンライン決済サービス
【図１】
2018046492.tif 000003
【図２】
2018046492.tif 000004
【図３】
2018046492.tif 000005
【図４】
2018046492.tif 000006
【図５】
2018046492.tif 000007
【図６】
2018046492.tif 000008
【図７】
2018046492.tif 000009
【図８】
2018046492.tif 000010
【図９】
2018046492.tif 000011
【図１０】
2018046492.tif 000012
【図１１】
2018046492.tif 000013
【図１２】
2018046492.tif 000014
【図１３】
2018046492.tif 000015